(57)【要約】【課題】  対象畑地の茎葉を焼却処理するための茎葉焼却装置を提供する。【解決手段】  茎葉焼却装置が、対象畑地上の空間を覆う室壁により形成される焼却室と、焼却室を対象畑地の地表に沿って移動させるための移動手段と、移動方向の前方側にて焼却室の室壁に開口した集茎口と、焼却室内へ上方から火炎を放射するバーナーとを有することを特徴とする。【選択図】  図１
2005140368.tif 000002
【特許請求の範囲】
【請求項１】
対象畑地の茎葉を焼却処理するための茎葉焼却装置において、
前記対象畑地上の空間を覆う室壁により形成される焼却室と、
前記焼却室を前記対象畑地の地表に沿って移動させるための移動手段と、
移動方向の前方側にて前記焼却室の前記室壁に開口した集茎口と、
前記焼却室内へ上方から火炎を放射するバーナーとを有することを特徴とする
茎葉焼却装置。
【請求項２】
移動方向の後方側にて前記焼却室に開閉自在の扉を設けたことを特徴とする請求項１に記載の茎葉焼却装置。
【請求項３】
前記焼却室の前記室壁の内面に断熱材が設けられることを特徴とする請求項１又は２に記載の茎葉焼却装置。
【請求項４】
前記集茎口から前方側へ突出すると共に該集茎口から後方側の前記焼却室内へと延びる半筒状の集茎ガイド部材をさらに有し、該集茎ガイド部材の上面が後方へ向かって低くなるよう傾斜していることを特徴とする請求項１〜３のいずれかに記載の茎葉焼却装置。
【請求項５】
前記バーナーが、前記焼却室の上面にて該焼却室内に開口すると共に該上面から斜め上方へ延びる燃焼筒と、該燃焼筒の先端に配置された発火部とを具備することを特徴とする請求項１〜４のいずれかに記載の茎葉焼却装置。
【請求項６】
前記バーナーが、前記燃焼筒の筒部周囲に間隙を設けて同心状に配置された燃焼筒外管と、該間隙に面した該燃焼筒の筒部を貫通する複数の空気孔とを具備することを特徴とする請求項５に記載の茎葉焼却装置。
【請求項７】
前記燃焼筒外管の内面に断熱材が設けられることを特徴とする請求項６に記載の茎葉焼却装置。
【請求項８】
前記焼却室内にて前記燃焼筒の開口位置の後方側に設けられ前記火炎の放射方向に対する角度を変更可能な火炎方向調整板と、
前記火炎方向調整板の角度を調整すべく該火炎方向調整板と連結されかつ前記焼却室外に設けられる火炎方向調整具とをさらに有することを特徴とする
請求項５〜７のいずれかに記載の茎葉焼却装置。
【請求項９】
前記移動手段が、
前記焼却室の上方に配置され該焼却室を連結した支持枠部材と、
牽引車両へ装着すべく前記支持枠部材に設けられた牽引用装着部とを具備することを特徴とする請求項１〜８のいずれかに記載の茎葉焼却装置。
【請求項１０】
前記支持枠部材に搭載されたバーナー用燃料タンク及びバーナー駆動用発電機とを具備することを特徴とする請求項９に記載の茎葉焼却装置。
【請求項１１】
前記焼却室が前記対象畑地の凹凸に応じて上下に揺動自在であるように該焼却室を前記支持枠部材へ連結することを特徴とする請求項９又は１０に記載の茎葉焼却装置。
【請求項１２】
複数の前記焼却室を移動方向に対して垂直な方向に並べそれぞれ前記支持枠部材に対して連結したことを特徴とする請求項９〜１１のいずれかに記載の茎葉焼却装置。
【発明の詳細な説明】
【技術分野】
【０００１】
本発明は、馬鈴薯や甘藷等を収穫するに当たって地上部分の茎葉を処理する装置に関する。
【背景技術】
【０００２】
馬鈴薯、甘藷、甜菜等の地下根茎作物を収穫する際は、先ず地上部分（茎葉）だけを除去し、その後、地下部分（芋）を掘り取るのが一般的である。広範囲の対象畑地における茎葉の除去を人手に頼ると重労働になるため、茎葉を枯らす枯凋剤や、機械的に除去する茎葉処理装置が用いられている。
【０００３】
機械的に除去する茎葉処理装置としては、特許文献１〜４等多数知られている。これらの装置は、牽引車両であるトラクターの後部に装着されて対象畑地上を牽引されるものである。そして、牽引されつつ地上の茎葉のみを引き抜く機構、あるいは引き抜いた後にさらに裁断する機構を具備している。
【特許文献１】特開平５−３１６８４７号公報
【特許文献２】特開平８−１４０４４８号公報
【特許文献３】特開２００２−２５３０１９号公報
【発明の開示】
【発明が解決しようとする課題】
【０００４】
しかしながら、枯凋剤は、その使用後１〜２週間しなければ茎葉が倒伏せず、その間に茎葉から病原菌等が馬鈴薯等に吸収され、腐ることがある。また、枯凋剤は農薬であるため、昨今ますます規制が厳しくなりつつある。
一方、機械的処理を行う茎葉処理装置では、引き抜いた茎葉や対象畑地に混在する石礫等により裁断用の刃等の機械部品が損傷することがあり、それによって地下部分の収穫物までも損傷することがある。加えて、機械的処理を行う茎葉処理装置は、特殊な構造の裁断刃を複雑に駆動する機構を要するため高価でもある。
【０００５】
斯かる現状に鑑み、本発明は、馬鈴薯等の掘り取りに先立って対象畑地の茎葉を処理するための装置であって、短時間で茎葉を処理可能であって、対象畑地に悪影響を及ぼすことなく容易に適用でき、かつ低コストの装置を提供することを目的とする。
【課題を解決するための手段】
【０００６】
上記の目的を達成すべく本発明は、以下の構成の茎葉焼却装置を提供する。
【０００７】
（１）請求項１に係る茎葉焼却装置は、対象畑地の茎葉を焼却処理するための茎葉焼却装置において、前記対象畑地上の空間を覆う室壁により形成される焼却室と、前記焼却室を前記対象畑地の地表に沿って移動させるための移動手段と、移動方向の前方側にて前記焼却室の前記室壁に開口した集茎口と、前記焼却室内へ上方から火炎を放射するバーナーとを有することを特徴とする。
【０００８】
（２）請求項２に係る茎葉焼却装置は、請求項１において、移動方向の後方側にて前記焼却室に開閉自在の扉を設けたことを特徴とする。
【０００９】
（３）請求項３に係る茎葉焼却装置は、請求項１又は２において、前記焼却室の前記室壁の内面に断熱材が設けられることを特徴とする。
【００１０】
（４）請求項４に係る茎葉焼却装置は、請求項１〜３のいずれかにおいて、前記集茎口から前方側へ突出すると共に該集茎口から後方側の前記焼却室内へと延びる半筒状の集茎ガイド部材をさらに有し、該集茎ガイド部材の上面が後方へ向かって低くなるよう傾斜していることを特徴とする。
【００１１】
（５）請求項５に係る茎葉焼却装置は、請求項１〜４のいずれかにおいて、前記バーナーが、前記焼却室の上面にて該焼却室内に開口すると共に該上面から斜め上方へ延びる燃焼筒と、該燃焼筒の先端に配置された発火部とを具備することを特徴とする。
【００１２】
（６）請求項６に係る茎葉焼却装置は、請求項５において、前記バーナーが、前記燃焼筒の筒部周囲に間隙を設けて同心状に配置された燃焼筒外管と、該間隙に面した該燃焼筒の筒部を貫通する複数の空気孔とを具備することを特徴とする。
【００１３】
（７）請求項７に係る茎葉焼却装置は、請求項６において、前記燃焼筒外管の内面に断熱材が設けられることを特徴とする。
【００１４】
（８）請求項８に係る茎葉焼却装置は、請求項５〜７のいずれかにおいて、前記焼却室内にて前記燃焼筒の開口位置の後方側に設けられ前記火炎の放射方向に対する角度を変更可能な火炎方向調整板と、前記火炎方向調整板の角度を調整すべく該火炎方向調整板と連結されかつ前記焼却室外に設けられる火炎方向調整具とをさらに有することを特徴とする。
【００１５】
（９）請求項９に係る茎葉焼却装置は、請求項１〜８のいずれかにおいて、前記移動手段が、前記焼却室の上方に配置され該焼却室を連結した支持枠部材と、牽引車両へ装着すべく前記支持枠部材に設けられた牽引用装着部とを具備することを特徴とする。
【００１６】
（１０）請求項１０に係る茎葉焼却装置は、請求項９において、前記支持枠部材に搭載されたバーナー用燃料タンク及びバーナー駆動用電源とを具備することを特徴とする。
【００１７】
（１１）請求項１１に係る茎葉焼却装置は、請求項９又は１０において、前記焼却室が前記対象畑地の凹凸に応じて上下に揺動自在であるように該焼却室を前記支持枠部材へ連結することを特徴とする。
【００１８】
（１２）請求項１２に係る茎葉焼却装置は、請求項９〜１１のいずれかにおいて、複数の前記焼却室を移動方向に対して垂直な方向に並べそれぞれ前記支持枠部材に対して連結したことを特徴とする。
【発明の効果】
【００１９】
本発明による茎葉焼却装置の焼却室を、茎葉が植わっている対象畑地の地表に沿って移動させることにより、焼却室前方側の集茎口から茎葉が焼却室内に入り、焼却室内でバーナーで火炎を放射される。これにより、茎葉は焼却処理されるので、短時間（数時間、例えば４〜６時間程度）で倒伏させ除去することができる。さらに、火炎が対象畑地にも吹き付けられることにより、表土殺菌効果が得られる。また、複雑な裁断機構を要しないので安価に装置を製造できる。枯凋剤等の農薬も不要であるので安全であり、土壌や作物への悪影響がない。さらに、火炎により雑草も焼却され、特に雑草の種子も共に焼却されることにより雑草の種子が地表に落下し発芽することを防止できる。
【００２０】
焼却室後方に扉を設けることにより、焼却処理された茎葉が焼却室に引っ掛かることなく後方から出てくることができ、また、扉で押されることによりさらに嵩が小さくまとまり、その後の除去作業が容易となる。
【００２１】
焼却室の室壁内面に断熱材を設けることにより、外部への放熱を防止して焼却室内温度を一定の値に維持するための燃料を節約できる。また、室壁の過熱を防止して安全性を確保する。
【００２２】
集茎口に設ける傾斜した集茎ガイド部材により、茎葉を円滑に焼却室内に導き入れると同時に倒伏させる。倒伏させられてほぼ一定の形にまとまった茎葉に対して火炎を集中的に放射することができる。
【００２３】
焼却室の上面から斜め上方に延びる燃焼筒の先端にバーナー発火部が配置され、燃焼筒が焼却室上面に開口しているので、バーナー発火部から放射される火炎は焼却室内で斜め後方へ向かって吹き付けられる。火炎が斜めであることから倒伏した茎葉に当たる火炎面積が広くなり、また、垂直に火炎を当てる場合よりも茎葉が長時間火炎に曝されることから、満遍なく十分に焼却されることとなる。  
【００２４】
燃焼筒の筒部周囲に間隙を設けて同心状に燃焼筒外管を配置したので、燃焼筒から外部への放熱を防止することができ、燃料を節約できる。また、間隙に面する燃焼筒の筒部を貫通する空気孔を設けたので、空気が供給されることにより燃焼効率が向上する。
【００２５】
燃焼筒外管の内面に断熱材を設けることにより、さらに外部への放熱を防止して燃料を節約できる。
【００２６】
火炎の放射方向に対する角度を変更可能な火炎方向調整板を設けることにより、火炎の方向を調整して適切な角度で茎葉に火炎が当たるようにできる。また、火炎方向調整板に連結した火炎方向調節具が焼却室外に設けられているので、手動により容易に火炎方向を調節可能である。
【００２７】
焼却室の移動手段として、上方に配置された支持枠部材に牽引用装着部を設けたので、トラクター等の牽引車両へ装着することができる。支持枠部材には、バーナー用燃料タンク及びバーナー駆動用電源とを搭載したので、外部から燃料や電源を供給することなく茎葉焼却装置を独立して稼働させることができる。
【００２８】
対象畑地の凹凸に応じて上下に揺動自在であるように焼却室が支持枠部材へ連結されることにより、対象畑地の凹凸に関わらず焼却室が常に対象畑地の地表に接触しつつ牽引されることとなる。
【００２９】
複数の焼却室を移動方向に対して垂直な方向に並べそれぞれ支持枠部材に対して連結したことにより、複数列の畝の茎葉を同時に焼却することができる。
【発明を実施するための最良の形態】
【００３０】
以下、実施例を示した図面を参照しつつ本発明の実施の形態を説明する。
図１は、本発明による茎葉焼却装置の一実施例を後方側から見た概略的な外観図である。この茎葉焼却装置１０は、地中部分の馬鈴薯、甘藷、甜菜等を収穫するに当たって地上部分の茎葉を予め焼却処理するための装置である。尚、本発明による茎葉焼却装置１０は、例えば、６０馬力程度のトラクター等の牽引車両に装着されて牽引されることにより対象畑地上を移動しつつ焼却処理を行うものである。従って、本明細書では、茎葉焼却装置１０において対象畑地上での移動方向（紙面の奥行き方向）に向いた側を「前方」と称し、反対側を「後方」と称することとする。
【００３１】
図１において、対象畑地である複数列の畝６１が並んでおり、各畝６１の盛り上がった部分に焼却すべき茎葉（図示せず）が植わっている。図１の茎葉焼却装置１０は、４個の焼却室２０を移動方向に対して垂直な方向に並設している。各焼却室２０は、各畝６１の上の所定の空間を覆う室壁２１により形成される。室壁２１の覆う空間の高さは、処理すべき茎葉を倒伏させて収容し、焼却処理を行うに適切な高さとし、その幅は、畝６１の幅に一致させることが好適である。焼却室２０は、ほぼ直方体の箱状であるが底面はなく、畝６１を覆う蓋の役割を果たしている。焼却室２０の後方側の室壁は開閉自在の扉２２となっている。
【００３２】
焼却室２０の上面には、焼却室２０内へ上方から火炎を放射するバーナー３０が取り付けられている。バーナー３０は、発火部３１と、発火部３１から放射される火炎を焼却室２０へ誘導する燃焼筒３２とを具備し、好適には燃焼筒３２の周囲に配置された燃焼筒外管３３とを具備する。
【００３３】
さらに、焼却室２０を対象畑地の地表に沿って移動させるための好適な移動手段４０として、焼却室２０の上方に配置された支持枠部材４１と、トラクター等の牽引車両へ装着すべく支持枠部材４１の両端にそれぞれ設けられた牽引用装着部４２、４３とを具備する。焼却室２０は、連結アーム２３により支持枠部材４１へ連結されている。
【００３４】
支持枠部材４１にはさらに、バーナー用燃料タンク５１及びバーナー駆動用発電機５２とが搭載されている。これらは、バーナー３０の発火部３１への燃料（例えば、灯油又はガソリン）及び電源（発火機構及び噴射機構駆動用）の供給源である。各供給路については図示を省略する。図示の例では、支持枠部材４１の上面に搭載されている。尚、支持枠部材４１と、燃料タンク５１及び電源５２との間には、下方のバーナー３０からの放射熱を遮断するための断熱材５３が設けられている。
【００３５】
図２は、図１のＡ−Ａ断面図である。焼却室２０の前方側の室壁２７には、集茎口２９が開口している。焼却室２０が移動方向へ進むと、集茎口２９から茎葉が焼却室内へ入り込むこととなる。集茎口２９の周縁には、効率的に茎葉を誘導するための集茎ガイド部材２４が取り付けられている。
【００３６】
焼却室２０の後方側の扉２２は、焼却室２０の上面縁部に蝶番２２ａにより取り付けられ、後方へ向かって開閉する。
【００３７】
焼却室２０は、焼却室２０の上面に固定された連結アーム２３の先端を支持枠部材４１へ連結することにより移動手段４０へ取り付けられる。好適には、連結アーム２３の連結部２３ａは、矢印Ｓ１で示すように回動自在に連結されているため、焼却室２０は対象畑地の凹凸に応じて矢印Ｓ２で示すように上下に揺動自在である。これにより、焼却室２０は、対象畑地の凹凸に関わらず常に地表に接触しつつ移動することができる。具体的には、両側面の室壁２１の下端が畝と畝の間の谷間に接触しつつ移動する。焼却室２０は、連結チェーン２５によっても支持枠部材４１と連結されている。連結チェーン２５もまた十分な弛みが設けられているので、焼却室２０の上下動に支障はない。
【００３８】
焼却室２０の移動手段４０として、焼却室２０を連結した支持枠部材４１には、牽引車両へ装着するために前方へ突出して延びるアーム状の牽引用装着部４２が固定されている。牽引用装着部４２の上接続部４２ａ及び下接続部４２ｂを用いてトラクター等の牽引車両へ装着する。
【００３９】
図３は、焼却室２０及びバーナー３０の部分のみを示した外観斜視図である。集茎口２９の周縁に取り付けられた集茎ガイド部材２４は、ほぼ半筒状に形成され、その前半部が前方側の室壁２７から前方へ庇状に突出している。この庇状部分は、前方に向かって開口の高さが高くなるように傾斜が設けられている。
【００４０】
バーナー３０は、焼却室２０の上面に取り付けられ、上面から斜め上方（ここでは前方斜め上方）に延びる燃焼筒３２の先端に発火部３１が配置されている。燃焼筒３２の焼却室上面に近い部分の周囲は、燃焼筒外管３３により囲包されている。
【００４１】
さらに焼却室２０の上面と一側面の境界である角部の適宜箇所に火炎方向調整具２６が取り付けられる。この火炎方向調整具２６は、後述する図４に示す焼却室内の火炎方向調整板の角度を外部から調整するために設けられたものである。火炎方向調整具２６は、焼却室内の火炎方向調整板の回動軸２６ｃの延長部分である基部に固定した調整レバー２６ａを具備する。調整レバー２６ａは基部を中心にガイド具２６ｂに穿設した半円ガイド孔に沿って手動で回すことができる。
【００４２】
図４は、図３のＢ−Ｂ断面図である。半筒状の集茎ガイド部材２４の前半部２４ａは、集茎口２９から前方側へ突出しており、一方、後半部２４ｂは、集茎口２９から後方側の焼却室内空間２８へと延びている。さらに、集茎ガイド部材２４の上面は、後方へ向かって低くなるよう傾斜している。この集茎ガイド部材２４により、茎葉を円滑に焼却室内空間２８へ導き入れると同時に倒伏させる。
【００４３】
焼却室２０の後方側の扉２２は、矢印Ｓ４に示すように開閉する。
【００４４】
バーナー３０の燃焼筒３２の筒部周囲には間隙を設けて燃焼筒外管３３が同心状に配置される。燃焼筒外管３３の内面には断熱材５４が設けられることにより外部への放熱を防止する。また、燃焼筒外管３３との間の間隙に面した燃焼筒３２の筒部を貫通する複数の空気孔３２ａが設けられる。これにより空気が供給され燃焼効率が向上する。燃焼筒３２の開口部分３２ｂは、焼却室内空間２８へ向かって拡大する形状となっている。これにより火炎の放射範囲が拡張される。尚、燃焼筒３２が前方斜め上方へ延びていることから、開口部分３２ｂからの火炎は焼却室内空間２８で後方斜め下方へ向かって放射される。
【００４５】
焼却室内空間２８には、燃焼筒３２の開口位置の後方側に火炎の放射方向を調整するための火炎方向調整板３６が設けられる。火炎方向調整板３６は、焼却室内空間２８の両側面の間に差し渡される板であり、その回動軸２６ｃを中心に矢印Ｓ５に示すように回動可能である。これにより、燃焼筒３２の開口部分３２ｂから放射される火炎に対する角度を変更することができる。火炎方向調整板３６に火炎が当たるとその向きが変わる。火炎方向調整板３６の回動軸２６ｃは焼却室外へ延びており、前述の図３で説明した火炎方向調整具と連結されている。
【００４６】
焼却室２０の室壁２１の内面には、断熱材５５が設けられることにより、外部への放熱を防止して焼却室内温度を一定の値に維持するための燃料を節約できる。また、室壁２１の過熱を防止して安全性を確保する。
【００４７】
図５は、図４のＣ−Ｃ断面図である。図示の火炎方向調整板３６の形状は一例である。ここでは、焼却室内空間２８内を相対的に通り抜けることになる茎葉の支障とならないように火炎方向調整板３６の下縁を凹状に切り欠いている。火炎方向調整板３６の上縁は、焼却室２０の両側面間に差し渡された回動軸２６ｃに固定され、回動軸２６ｃと一体的に動く。
【００４８】
図５に示す通り、焼却室２０の室壁２１内面の断熱材５５は、上面と両側面に設けられることが好適である。
【００４９】
図６は、図４のＤ矢視図であり、焼却室２０を後方側から見た図である。扉２２は、焼却室２０の上面縁部に蝶番２２ａにより取り付けられる。
【００５０】
図７は、図４のＥ矢視図であり、燃焼筒３２を開口側から見た図である。複数の空気孔３３ａは、筒部全体に満遍なく配置されている。
【００５１】
図８は、図４のＦ矢視図であり、焼却室２０を前方側から見た図である。焼却室２０の前方室壁２７には、集茎口２９が開口し、半筒状の集茎ガイド部材２４が取り付けられている。
【００５２】
図９は、本発明による茎葉焼却装置１０を用いた茎葉処理作業の様子を模式的に示した図である。茎葉焼却装置１０については、その焼却室２０及びバーナー３０のみを概略断面図で表現している。畝６１の地表には、地上の茎葉部分７１ａ、７２ａ．．７５ａが並んでおり、それぞれに対応して地中の根茎部分７１ｂ、７２ｂ．．７５ｂがある。根茎部分７１ｂ等は、茎葉処理後に掘り取る馬鈴薯等の作物である。
【００５３】
焼却室２０が移動手段（図示しない）により牽引され、畝６１に沿って移動方向へ移動すると、焼却室前方側の集茎ガイド部材２４に誘導されるように茎葉が集茎口２９から焼却室内空間２８に入る。このとき茎葉は、集茎ガイド部２４の傾斜により倒伏させられ、嵩も小さくなり一定の形にまとまる（符号７２ａ参照）。その後、茎葉は、焼却室内空間２８でバーナー３０による火炎３８を放射される（符号７３ａ参照）。これにより、茎葉は焼却処理される。同時に、火炎３８が畝６１にも吹き付けられることにより表土が殺菌される。
【００５４】
焼却処理された茎葉は、後方に開いた扉２２から出てくることになる（符号７４ａ参照）。このとき、焼却済みの茎葉や脆くなっているため、扉２２で押されなでつけられることにより、茎葉はさらに倒伏され嵩が小さくまとまり、その後の除去作業が容易となる（符号７５ａ参照）。
【００５５】
焼却室２０は、畝６１の凹凸に応じて上下に揺動自在であるように連結アーム２３により支持枠部材（図示せず）へ連結されているので、焼却室２０の両側面の下端が常に畝６１の谷間に接触して移動することができる。これにより、焼却室内空間２８がほぼ密閉状態に維持され、外部への放熱が防止され、燃焼効率が向上する。
【００５６】
実施例では、作業中の焼却室内温度８００℃を維持することができた。焼却室２０を４〜８個並設することにより、１日当たり３〜４ｈａの対象畑地の茎葉を焼却処理することができた。因みに、焼却処理前の地表温度が約２５℃のとき、焼却処理完了後の地表温度は４０〜６０℃であった。
【図面の簡単な説明】
【００５７】
【図１】本発明による茎葉焼却装置の一実施例を後方側から見た概略的な外観図である。
【図２】図１のＡ−Ａ断面図である。
【図３】本発明の茎葉焼却装置の焼却室及びバーナーの部分のみを示した外観斜視図である。
【図４】図３のＢ−Ｂ断面図である。
【図５】図４のＣ−Ｃ断面図である。
【図６】図４のＤ矢視図である。
【図７】図４のＥ矢視図である。
【図８】図４のＦ矢視図である。
【図９】本発明による茎葉焼却装置を用いた茎葉処理作業の様子の模式図である。
【符号の説明】
【００５８】
１０  茎葉焼却装置
２０  焼却室
２１  焼却室壁
２２  扉
２２ａ  蝶番
２３  連結アーム
２３ａ  アーム連結部
２４  集茎ガイド部材
２４ａ  集茎ガイド部材前半部
２４ｂ  集茎ガイド部材後半部
２５  連結チェーン
２６  火炎方向調整具
２６ａ  調整レバー
２６ｂ  ガイド具
２６ｃ  回動軸
２７  前方室壁
２８  焼却室内空間
２９  集茎口
３０  バーナー
３１  発火部
３２  燃焼筒
３２ａ  空気孔
３３  燃焼筒外管
３６  火炎方向調整板
４０  移動手段
４１  支持枠部材
４２、４３  牽引用装着具
４２ａ  上接続部
４２ｂ  下接続部
５１  燃料タンク
５２  発電機
５３、５４、５５  断熱材
６１  畝
７１〜７５  作物
７１ａ〜７５ａ  地上茎葉部分
７１ｂ〜７５ｂ  地中根茎部分
【図１】
2005140368.tif 000003
【図２】
2005140368.tif 000004
【図３】
2005140368.tif 000005
【図４】
2005140368.tif 000006
【図５】
2005140368.tif 000007
【図６】
2005140368.tif 000008
【図７】
2005140368.tif 000009
【図８】
2005140368.tif 000010
【図９】
2005140368.tif 000011